(57)【要約】【課題】  球払出通路と球抜き通路とを手動により切り替え許容する手動の切替機構を備えることにより、多数個のスイッチやソレノイド等の電気的な切替制御を要しなくなり、さらに小型化した球抜き構造を構築することができる球払出装置の球抜き機構及びパチンコ遊技機を提供することを目的とする。【解決手段】  環状通路の一方には、回転体の回転に基づいて球を回転送りする球払出通路を設け、該環状通路の他方には、前記球払出通路の通路壁と隔てて前記送り爪の回転軌跡より大径の環状位置に沿って球を通過させる球抜き通路とを設け、前記環状通路の球払出通路と球抜き通路との分岐位置に配設される流路切替機構と、ケーシングの外側に配設され、手動により前記流路切替機構を球払出通路側と球抜き通路側とに切替操作させる手動操作部とを備えて球払出装置の球抜き機構を構成する。【選択図】  図１６
2006262970.tif 000002
【特許請求の範囲】
【請求項１】
モータの駆動に基づいて回転し、外周面に送り爪を有する回転体と、該回転体の外周面に沿う通路壁を備えたケーシングにより環状通路を形成し、該環状通路の一方の回転方向に沿う側を球払出通路に設定し、他方の回転方向に沿う側を球抜き通路に設定し、該環状通路に導かれた球を、一方の下端に開口する球払出口に通じる球払出通路側と、他方の下端に開口する球抜き口に通じる球抜き通路側とに振分ける流路切替機構を備えた球払出装置であって、
前記環状通路の一方には、回転体の回転に基づいて球を回転送りする球払出通路を設け、該環状通路の他方には、前記球払出通路の通路壁と隔てて前記送り爪の回転軌跡より大径の環状位置に沿って球を通過させる球抜き通路とを設け、
前記環状通路の球払出通路と球抜き通路との分岐位置に配設される流路切替機構と、
前記ケーシングの外側に配設され、手動により前記流路切替機構を球払出通路側と球抜き通路側とに切替操作させる手動操作部と、
を備えた球払出装置の球抜き機構。
【請求項２】
前記流路切替機構は、前記手動操作部を一方に操作したとき、前記球抜き通路への球の流れを規制する位置に移動させ、前記手動操作部を他方に操作したとき、前記球抜き通路への球の流れを規制解除する位置に移動させる移動部材を設けた
請求項１に記載の球払出装置の球抜き機構。
【請求項３】
前記流路切替機構は、前記移動部材と、
前記移動部材が一方に移動したとき、該移動部材の動きに連動して球抜き通路の環状連通口を閉鎖し、前記移動部材が他方に移動したとき、該移動部材の動きに連動して球抜き通路の環状連通口を開放許容する流路切替レバーとを組合せて構成した
請求項１又は２に記載の球払出装置の球抜き機構。
【請求項４】
前記移動部材を球抜き通路開放位置と球抜き通路閉鎖位置とで位置決めする位置決め手段を備えた
請求項１〜３に記載の何れかの球払出装置の球抜き機構。
【請求項５】
前記位置決め手段は、移動部材と該移動部材を摺動支持する摺動ガイド部との摺動面間の一方に移動した球抜き通路開放位置と他方に移動した球抜き通路閉鎖位置との各対向面を位置決め用に凹凸対応させて設け、該凹凸対応する対向面の少なくとも一方を他方に対して押圧付勢させる弾性対応部を設けた
請求項４記載の球払出装置の球抜き機構。
【請求項６】
請求項１〜５に記載の何れかの球払出装置の球抜き機構を備えたパチンコ遊技機。
【発明の詳細な説明】
【技術分野】
【０００１】
この発明は、例えばパチンコ遊技機の入賞球もしくは貸球の払い出しに用いられるような球払出装置に関し、さらに詳しくは貯留タンクに貯留されている多数の貯留球を安定して外部に回収する球払出装置の球抜き機構及びパチンコ遊技機に関する。
【背景技術】
【０００２】
以下、パチンコ遊技機を例にとって説明する。  
一般に、パチンコ遊技機は、パチンコ球(以下、球と称す)を遊技媒体として、パチンコ遊技機の背面側からパチンコ遊技機の前面側に球を供給している。この球の供給に際しては、パチンコ遊技機の背面側上部に多数個の球を貯留する貯留タンク(景品球タンク)を設置し、この貯留タンク内へは上方の図示しない補給機構から球を補給させて貯留し、この貯留タンクに貯留した球を払出要請に応じて下方に払い出すようにしている。この球が払い出される過程としては、貯留タンクから球を整列させて安定して流下させる球整列装置を通過させて球払出装置(入賞球処理装置)に導き、ここで払出指令された球数を払い出して、パチンコ遊技機の前面下部に位置する上皿又は下皿に払い出している。
【０００３】
ところで、パチンコ遊技機には球払出動作とは別に、特許文献１にも開示されているように、貯留タンクに貯留されている球を一気にパチンコ遊技機の外部に排出(回収)して貯留タンクを空にする球抜き機構が内部構成されている。この球抜きの目的は、パチンコ遊技機の出荷検査時、遊技ホール内でのパチンコ遊技機の移動、もしくは廃棄などのために貯留タンクから球を抜いて該貯留タンクを空にするものである。
【０００４】
前記球抜き機構は、例えばリンク機構を使用して通路を開放させる機械的な開閉構造、あるいはソレノイド等を使用して通路を開放させる電気的な開閉構造が用いられている。これにより、通路を開放させるだけで球を自重によって自然に下方の球抜き通路へと導いている。
【０００５】
しかしながら、このような球抜き機構では、動きの大きいリンク機構等の機械的な部品やソレノイド等の電気的な部品を要して大型化し、パチンコ遊技機の背面側に取付ける場合に、その背面側の配置スペースを大きく占有する傾向にあり、パチンコ遊技機の背面側のスペースをさらに狭めてしまう。
【０００６】
近年、パチンコ遊技機の背面側では遊技性能を高めるために図柄表示装置等の大型化や他の部品の増設などが図られている。ところが、パチンコ遊技機の背面側に備えられる球抜き機構が大型化すると、これに伴いパチンコ遊技機の背面側での取付けスペースに制約を受けて図柄表示装置の大型化が困難になる。
【０００７】
このほか、特許文献２及び特許文献３に開示されている球抜き機構では、球抜き動作を可能にするために組込まれる多数個のスイッチ及びソレノイド等の電気的に開閉制御する球抜き機構が使用されている。ところが、この場合はスイッチやソレノイドなどを要して高価なものになってしまうほか、通電状態でないと球抜きが実施できないという不便が生じていた。例えば、停電発生時には球抜きができず、さらに球抜き中に何らかの要因で球払出動作に切り替わってしまうおそれがあり、信頼性に乏しい不安定な問題を有する球抜き機構であった。
【０００８】
【特許文献１】特許第３６０４６３３号
【特許文献２】特開平５−１５４２４４号
【特許文献３】実公平６−３６５６号
【発明の開示】
【発明が解決しようとする課題】
【０００９】
そこでこの発明は、球払出通路と球抜き通路とを手動により切り替える切替機構を備えることにより、多数個のスイッチやソレノイド等の電気的な制御を要しなくなり、さらに球抜き構造を小型化して構築することができる球払出装置の球抜き機構及びパチンコ遊技機を提供することを目的とする。
【課題を解決するための手段】
【００１０】
この発明は、モータの駆動に基づいて回転し、外周面に送り爪を有する回転体と、該回転体の外周面に沿う通路壁を備えたケーシングにより環状通路を形成し、該環状通路の一方の回転方向に沿う側を球払出通路に設定し、他方の回転方向に沿う側を球抜き通路に設定し、該環状通路に導かれた球を、一方の下端に開口する球払出口に通じる球払出通路側と、他方の下端に開口する球抜き口に通じる球抜き通路側とに振分ける流路切替機構を備えた球払出装置であって、前記環状通路の一方には、回転体の回転に基づいて球を回転送りする球払出通路を設け、該環状通路の他方には、前記球払出通路の通路壁と隔てて前記送り爪の回転軌跡より大径の環状位置に沿って球を通過させる球抜き通路とを設け、前記環状通路の球払出通路と球抜き通路との分岐位置に配設される流路切替機構と、前記ケーシングの外側に配設され、手動により前記流路切替機構を球払出通路側と球抜き通路側とに切替操作させる手動操作部とを備えた球払出装置の球抜き機構であることを特徴とする。
【００１１】
この発明によると、球払出通路と球抜き通路とを環状通路の一方と他方とに、ほぼ半周ずつに分けて構成し、しかも一方を小径に他方を大径に区分して、径方向に異径通路を独立させて設けているため、通路を切替えて使用する場合にあっても互いの通路に支障を及ぼさず、環状通路の両方を有効に使用することができる。
【００１２】
そして、係員が手動操作部を手動操作すれば、球払出装置の内部に組込まれた流路切替機構を球払出通路か球抜き通路かの何れかに切替操作することができる。従って、高価なスイッチやソレノイド等の電気的な部品を省略できるので安価に構成することができる。又、電気的な制御が不要になるため通電状態でなくても球抜き動作を終始安定して実行することができる。例えば、不測に停電等が発生しても、球抜き動作が停止されることがなく、球抜き状態を継続することができる。又、球抜き状態から球払出状態に切り替ったり、逆に球払出状態から球抜き状態に切り替ったりするなどの不安定に動作するおそれもなくなり、電気による影響を受けない安定した球抜き動作を確保することができる。
【００１３】
この発明の別の構成の流路切替機構では、前記手動操作部を一方に操作したとき、前記球抜き通路への球の流れを規制する位置に移動させ、前記手動操作部を他方に操作したとき、前記球抜き通路への球の流れを規制解除する位置に移動させる移動部材を設けたことを特徴とする。
【００１４】
この発明によると、手動操作部の動きに応じて移動部材を一方か他方に移動させることができるので、この移動部材の動きに応じて球の流下方向を球払出通路か球抜き通路に流れるように移動させて切り替えることができる。このため、移動部材を移動操作させるだけの簡単な構成で切替構造を構築することができる。従って、球払出装置を小さく構成でき、遊技機の盤面裏側では小スペースしか占有しないため、図柄表示装置などを大型化して設置することが可能になる。
【００１５】
この発明の別の構成の流路切替機構では、前記移動部材と、前記移動部材が一方に移動したとき、該移動部材の動きに連動して球抜き通路の環状連通口を閉鎖し、前記移動部材が他方に移動したとき、該移動部材の動きに連動して球抜き通路の環状連通口を開放許容する流路切替レバーとを組合せて構成することができる。
【００１６】
この発明によると、球払出通路と球抜き通路との分岐位置に流路切替レバーを配設し、この流路切替レバーの動きを前記移動部材の動きに連動させれば、移動部材の動きによって、この流路切替レバーを球払出通路か球抜き通路に切り替えることができる。
【００１７】
例えば、移動部材を一方に移動させたときは、流路切替レバーを該移動部材によって一方の通路だけが有効になるように位置規制し、移動部材を他方に移動させたときは、流路切替レバーを該移動部材によって他方の通路だけが有効になるように位置規制を解除して両通路を簡単に切り替えることができる。
【００１８】
この発明の別の構成では、前記移動部材の停止に際して、該移動部材を球抜き通路開放位置と球抜き通路閉鎖位置とで位置決めする位置決め手段を備えて構成することができる。
【００１９】
この発明によると、移動部材を一方か他方に移動させたときの移動位置を位置決めすれば、移動部材は不用意に動くことがなくなり、切り替えられた通路の位置を安定して維持する。このため、何らかの要因で通路が切り替わるおそれもなくなり、信頼性の高い安定した切替性能を確保できる。
【００２０】
この発明の別の構成の位置決め手段では、移動部材と該移動部材を摺動支持する摺動ガイド部との摺動面間の一方に移動した球抜き通路開放位置と他方に移動した球抜き通路閉鎖位置との各対向面を位置決め用に凹凸対応させて設け、該凹凸対応する対向面の少なくとも一方を他方に対して押圧付勢させる弾性対応部を設けて構成することができる。
【００２１】
この発明によると、通路を切り替えるために移動させる移動部材の一方と他方との定められた位置において、互いに対向する移動部材と摺動ガイド部との摺動面間の定められた位置においてのみ凹凸対応する。従って、移動部材が摺動ガイド部に摺接して移動したとき、定められた位置で凹凸対応して位置決めされる。このとき、凹凸対応する一方、又は双方の弾性対応部によって、摺動面間は常に弾性対応させた支持状態にあるため、球抜き中に何らかの要因で球払出通路へ切り替わることはなく、安定して球抜きをすることができる。このように少なくとも一方を弾性対応部に設けて弾性対応させれば、弾性力が働いて凹凸対応部での嵌合作用が高まり、位置決めが正確になる。この結果、より一層安定した位置決めが得られ、又係員による位置決め時の操作感触も明確に得られる。
【００２２】
このように構成された球払出装置の球抜き機構をパチンコ遊技機に組込めば、球抜き動作が安定するだけでなく、小型で安価な球抜き機構を備えたパチンコ遊技機を構築できる。
【発明の効果】
【００２３】
この発明によれば、手動操作に連動して球抜きする球抜き機構を設けることにより、電気的な制御を要せずに通路を切り替えることができるため、球抜き中に停電等によって不測に電断されても球抜き動作に影響を受けず、安定した球抜き動作が得られる。又、小型に内部構成できるため、球払出装置が大型化せず、パチンコ遊技機の盤面裏側等にコンパクトに取付けることができる。ことに、高価なスイッチやソレノイド等の電気的な部品を省略して構成できるので安価になり、電気による影響を受けない安定した球抜き動作を確保することができる。
【実施例】
【００２４】
この発明の一実施例を図面に基づいて説明する。  
図１はパチンコ遊技機の遊技台１１の盤面裏側を示し、この遊技台１１の盤面裏側の上隅部には球の貯留機能を備えた貯留タンク一体型球払出装置１２を配設し、盤面裏側の中央部には大型の表示装置や制御部等を備えた基板部１３を配設している。さらに、貯留タンク一体型球払出装置１２の上面開口部と対向する上方には図示しない補給シュートが対設され、この補給シュートを介して貯留タンク一体型球払出装置１２に上方から球が補給される。又、貯留タンク一体型球払出装置１２の下方には払出通路１４が接続され、この払出通路１４を通して球は遊技台１１の前面下部に位置する受皿へと払い出される。
【００２５】
前記貯留タンク一体型球払出装置１２は、図２にも示すように、横型に設置される貯留タンク１５と縦型に設置される球払出装置１６とを着脱可能にして逆Ｌ型状に一体に接続している。そして、横長の貯留タンク１５の下流側端部に球払出装置１６の上端部を連結することにより、双方を一体化したコンパクトな単体構成をとっている。
【００２６】
さらに、貯留タンク一体型球払出装置１２は、貯留タンク１５を最上流位置とし、その下流側に球整列用の天板１７及び球崩し機構１８と、球止め用の球通過規制機構１９と、球払出装置１６とをこの順に接続している。さらに、球払出装置１６の取付け面側には縦長の連結フレーム２０を取付け、この連結フレーム２０を介して該貯留タンク一体型球払出装置１２は遊技台１１の盤面裏側に固定設置される。
【００２７】
この場合は、貯留タンク一体型球払出装置１２は遊技台１１の上隅の逆Ｌ型状と同じ逆Ｌ型状を有しているため、上隅に沿って配設することができ、盤面裏側では無駄なスペースがなく効率よく配設することができる。又、取付けに際しても貯留タンク一体型球払出装置１２を単一の部品として扱えるため簡単に取付けることができる。
【００２８】
次に、球払出装置１６について具体的に説明する。  
図３及び図４に球払出装置１６の外観を表し、図５及び図６に球払出装置１６の内部構造を表している。この球払出装置１６の内部構造は回転体（スプロケットホイール）３１と、駆動モータＭと、球有無検知センサＳ１と、球計数センサＳ２と、前記回転体３１の回転位置を確認する回転位置検知センサＳ３と、これらを両側より覆って内蔵する左ケーシング３２と、右ケーシング３３と、前記左右のケーシング３２，３３の中間に介在させる通路仕切板３４とから構成される。
【００２９】
前記左右のケーシング３２，３３は球払出装置１６の各構成部材を支持する支持壁３２Ａ，３３Ａとしての役割と、内部で球の通路を構成する通路壁３２Ｂ，３３Ｂとしての役割を持たせている。このうち、通路壁３２Ｂの上部には左右の待機通路３５ａ，３５ｂを、下部には左右対称のほぼ同構造の左右の環状通路３６ａ，３６ｂを形成し、これらの通路３５ａ，３５ｂ、３６ａ，３６ｂを上下にそれぞれ連通させて配設している。
【００３０】
そして、待機通路３５ａ，３５ｂの各上端開口部を球供給口３７とし、下端開口部を環状連通口３６ｃとして下方の環状通路３６ａ，３６ｂの真上に開口する入口部分として接続している。一方、左右の環状通路３６ａ，３６ｂは真上に開口する各環状連通口３６ｃを入口とし、下端一側に開口する各球払出口３８を出口としている。この場合、前記球供給口３７、球払出口３８などの左右一対に構成される部分については、同一の符号を記して省略する。
【００３１】
前記左ケーシング３２と右ケーシング３３とは左右に分割し、双方をビス止めして一体に構成するとともに、その左右の外側面を、図４に示すように、それぞれ垂直壁Ｆ１，Ｆ２に設けている。これにより、シンプルな単体になり、さらに球払出装置を取付ける場合に、外側の垂直壁Ｆ２を取付け壁面に対して取付けることができる。このため、無駄な取付け空間がなくなり、取付け性が向上する。
【００３２】
上述の回転体３１は筒状体を有し、この筒状体の外周面の軸方向両側には、球を１個ずつ区切って回転送りするための送り爪３９を周方向に等分配設してなる２連の並列する送り部を有している。該２連の並列する送り部の送り爪３９は半ピッチずらして左右から１個ずつの送り出しが得られるように形成している。
【００３３】
さらに、左右の送り爪３９，３９間の連結壁の外周面には、該スプロケット回転用の中間ギアＧ１を形成している。この回転体３１の内周面の環状方向には、等分して切り欠き形成された回転位置検知用のスリット４０を配設している。さらに、回転体３１の両端面には、その軸心部より外向きに突出する筒状軸３１ａ，３１ｂを突設し、これらの筒状軸３１ａ，３１ｂに軸受ブッシュ４１，４２をそれぞれ嵌合させた状態で、片方は左ケーシング３２の軸支孔３２ａに挿通し、もう一方は右ケーシング３３の軸支孔３３ａに挿通して回転体３１を回転自由に軸支している。
【００３４】
この回転体３１への動力伝達には駆動モータＭの主軸に連結された駆動プーリ４３から駆動ベルト４４を介して該回転体３１に動力伝達するための従動プーリ４５をモータブラケット４６に軸支させて、左右のケーシング３２，３３間に配設している。そして、この従動プーリ４５の他端の外周面には従動ギアＧ２を形成しており、該従動ギアＧ２と回転体３１の中間ギアＧ１とを噛合させた状態で駆動モータＭを駆動することにより、回転体３１は回転される。前記モータブラケット４６は通路仕切板３４に一体に固定され、このモータブラケット４６に駆動モータＭを固定設置し、さらに該モータブラケット４６に前記従動プーリ４５を、小径の軸受ブッシュ４７を介して軸支している。
【００３５】
前記両ケーシング３２，３３の外側面上部の一部と下部の側面には、後述する環状通路からの異物排除用に開口した排除口３２ｂ，３３ｂを有している。これらの排除口３２ｂ，３３ｂを設けることにより環状通路内の異物は排除口３２ｂ，３３ｂより落下して排除される。
【００３６】
一方、左右のケーシング３２，３３の間には、前記駆動モータＭ及び回転体３１を介在させるとともに、両側に並列する縦向きの通路を左右に仕切って両通路を形成するための通路仕切板３４を介在させた状態で連結している。
【００３７】
前記駆動モータＭは左右のケーシング３２，３３の間の下部に、該駆動モータＭの軸方向を回転体３１の軸方向と同軸方向に揃えて配設し、前記左ケーシング３２の下部に該駆動モータ介在用に円形状に開口した中空部３２ｃを有し、この中空部３２ｃに駆動モータＭを収納させている。
【００３８】
これにより、左右のケーシング３２，３３間に駆動モータＭと動力伝達部品の軸方向が揃えられて配置されることになり、球払出装置１６の軸方向(幅方向)を短縮して薄型化を図ることができる。同様に回転体３１と駆動モータＭを上下位置に分けて左右のケーシング３２，３３内に収納することにより、球払出装置１６の薄型化を図ることができる。
【００３９】
この場合、回転体３１は、図７にも示すように、両側に送り爪３９を有し、その間に中間ギアＧ１を有しているため、単一の部品でありながら２列の球送り機能と動力伝達機能との両機能を持たせることができ、左右のケーシング３２，３３の間に効率よく内蔵することができる。特に、中間ギアＧ１はスプロケット幅方向の中央に位置するため、駆動モータＭ、駆動プーリ４３、駆動ベルト４４、従動プーリ４５、従動ギアＧ２等の動力伝達部品の軸方向長さを該回転体３１の中央寄りに寄せて配置することが可能になり、この回転体３１の幅内に納まるように内蔵することが可能になる。このため、球払出装置１６の左右に並列する２通路を構成しても、幅方向のスペースを大きくとらず、該球払出装置１６の幅方向を短縮することができ、取付けスペースが制限された小スペースへの取付けに適した薄型化を図ることができる。
【００４０】
この左ケーシング３２の上方の内側面とこれに対向する通路仕切板３４の上方の対向面との間、右ケーシング３３の上方の内側面とこれに対向する通路仕切板３４の上方の対向面間に、後述する上方の球供給口３７から下方の環状通路３６ａ，３６ｂまでを並列して結ぶ待機通路３５ａ，３５ｂを構成している。
【００４１】
前記待機通路３５ａ，３５ｂは、図８に示す側面方向からの内部構造と、図９を縦断した図１０及び図１１に示す正面方向からの内部構造にも示すように、上流側の方向変換通路４８と、下流側の球流下圧制限通路４９とを上下に接続して形成している。先ず、方向変換通路４８は左右のケーシング３２，３３の上部に並列して開口する球供給口３７を有し、この球供給口３７が上流側に対応して接続される。この接続した並列通路の下方の方向変換に際しては、前後に並列する一方の縦通路を基準に他方の縦通路だけを横並び位置に９０度ひねって並列させればよい。
【００４２】
これにより、両縦通路は縦並び位置から横並び位置に向きを変えて揃えられる。そして、この球供給口３７の下方に、前後２列に流下してきた球Ｐを左右２列の向きに方向変換させる。この方向変換通路４８を設けることによって、下方に並列する環状通路３６ａ，３６ｂとを同並列方向に揃えることができるため、並列する両通路の向きを省スペース化に適した向きに対応させることができる。
【００４３】
下流側の球流下圧制限通路４９は前記上流側の方向変換通路４８に続く斜め下方に形成され、球Ｐの流下による球圧を逆くの字形の屈曲部により軽減させる通路に形成している。これにより、上流側から流下してきた球Ｐは球流下圧制限通路４９を通過するときに、屈曲部による方向変換作用を受けながら通過し、これに基づいて球Ｐは流下に適した球圧に制限されて流下することになる。この結果、後段の下方に続く環状通路３６ａ，３６ｂへは払い出しに適した球圧に調整されて供給される。
【００４４】
さらに、待機通路３５ａ，３５ｂの通路長さは縦方向及び斜め方向の通路内に予め設定された払出個数を貯留待機させる通路長さを有している。このため、予め纏まった球数を待機通路に貯留待機させることができるため、球払出時に環状通路３６ａ，３６ｂに供給される球Ｐが途切れることがなく、纏まった払出個数を直ちに供給することができる。このため、球Ｐの供給が滞らない安定した払出しができる。
【００４５】
前記環状通路３６ａ，３６ｂは、待機通路３５ａ，３５ｂの下方に同並列方向に揃えて接続され、左右のケーシング３２，３３の中央高さ位置の内周面の通路壁３２Ｂ，３３Ｂと回転体３１の外周面との間に形成される環状対向面間の通路空間であり、ここに導かれた球Ｐを１個ずつ送り爪３９で回転送りする環状の通路を構成している。
【００４６】
前記環状通路３６ａ，３６ｂの半周を球払出通路３６ｄ（図１４参照）として使用している。そして、環状通路３６ａ，３６ｂに導かれた球Ｐは１個ずつ回転体３１の回転に伴って下方に回転送りされるため、供給された球Ｐを途切れることなく連続的に払出動作する。
【００４７】
前記待機通路３５ａ，３５ｂの上面に開口する入口の球供給口３７には球Ｐの通過を検知する有接点スイッチを用いた球有無検知センサＳ１を配設し、ここで球払出装置１６に球Ｐが供給されたことを検知する。
【００４８】
前記球払出通路３６ｄは、終端部として開口する出口の球払出口３８に接続され、該球払出口３８の通路部分には近接センサを用いた球計数センサＳ２を配設し、球払出通路３６ｄを流下して球Ｐが払い出されたとき、この球計数センサＳ２が払い出された球Ｐを検知して計数する。
【００４９】
さらに、左ケーシング３２の外面には、該左ケーシング３２の下方に開口した側面開口部５０より内方に臨ませて、回転体３１上のスリット４０を検知する回転位置検知センサＳ３を、センサ固定金具５１を介して配設している。この回転位置検知センサＳ３により回転体３１と一体に回転する前記スリット４０の検知数から回転体３１の回転位置を検知する。
【００５０】
前記球払出通路３６ｄと対向する反対側の半周の位置には球抜き通路３６ｅを形成している。この球抜き通路３６ｅは、環状通路３６ａ，３６ｂの頂部に相当する環状連通口３６ｃの位置から下方に開口する球抜き口５２までの間を接続しており、貯留タンク１５に貯留されている球Ｐを、係員が回収球として回収して貯留タンクを空にするときに利用される。
【００５１】
この場合、該球抜き通路３６ｅは環状通路３６ａ，３６ｂの外周壁面上に半周の通路として、前記球払出通路３６ｄとは反対側に形成され、該球抜き通路３６ｅの上部では回転体３１の外周壁面に沿って球Ｐが送り爪３９に接触しない滑らかな半円周の通路であり、下部では下方の球抜き口５２に接続される直管状の通路である。このため、送り爪３９との接触を避けて、球抜き時に流下する球Ｐの流下抵抗を小さくしている。
【００５２】
又、左右のケーシング３２，３３内に前記球払出通路３６ｄと、球抜き通路３６ｅとを環状の一方と他方に効率よく分けて設けることができるため、球抜き通路専用の新たなスペースが不要になる。
【００５３】
ところで、回転体３１の回転力を受けて回転送りされる球Ｐは周方向に終始動力伝達されて払い出されるため、回転体３１を高速回転すれば、球Ｐを高速に払い出すことができる。さらに、前記球払出通路３６ｄには球計数センサＳ２を配設しているため、回転送りを受けなくなった払出完了直後の球Ｐを球計数センサＳ２が検知することになり、速いタイミングで検知できる。
【００５４】
又、上方の球供給口３７に球有無検知センサＳ１を配設することによって供給された球Ｐの有無を検知できるため、球Ｐが無いことを検知した場合は、球切れや球詰りの発生と検知して空取り込みを防止することができる。従って、このときは球Ｐの供給動作や払い出しを規制することができる。そして、これらの両センサＳ１，Ｓ２を備えることによって、球Ｐの供給と払い出しとの両検知信号から球払出装置１６での球Ｐの流れを正確に管理することができる。
【００５５】
前記球計数センサＳ２は環状の穴内に球Ｐを通過させて球Ｐの通過を検知する環状の開口部を有し、該球計数センサＳ２を、並列して球Ｐを流下させる球払出通路３６ｄのそれぞれに並列して左右に配設している。この場合、２つの環状の球計数センサＳ２が互いに隣接する中央寄りの環状部分を段違いに重合させて配設することによって、両球計数センサＳ２の配設位置を中央寄りに配置させることができ、左右のケーシング３２，３３の幅方向外面に突出しないように配置構成することができる。
【００５６】
ところで、前記待機通路３５ａ，３５ｂと環状通路３６ａ，３６ｂとの接続位置に相当する環状連通口３６ｃには、球払出通路３６ｄと球抜き通路３６ｅの流路を切り替える流路切替機構５３を設けている。この流路切替機構５３は、流路切替用の手動操作レバー５４と、流路切替ブロック５５と、流路切替レバー５６とから構成される。
【００５７】
前記手動操作レバー５４は両端部に丸みを持たせた菱形状を有し、この菱形状の中央部を取付ネジ５７にて左ケーシング３２の外壁面（垂直壁Ｆ１）に沿わせて回動可能に軸支している。この取付ネジ５７を回動支点とする該手動操作レバー５４は、図１２(Ａ)に示すように、垂直壁Ｆ１に沿う一方に少し回動させたとき、後述する内部の流路を一方に切り替える。又、図１２(Ｂ)に示すように、垂直壁Ｆ１に沿う他方に少し回動させたとき、後述する内部の流路を他方に切り替える。
【００５８】
この手動操作レバー５４の回動量は、左ケーシング３２の外面の上下位置に突設させた上下のストッパピン５８ａ，５８ｂ間に前記手動操作レバー５４の一端部を介在させ、この一端部の上面又は下面の一方が回動時に上下のストッパピン５８ａ又は５８ｂのどちらか一方に当接されて、該手動操作レバー５４の回動量が規制される。さらに、手動操作レバー５４の一端には、後述する流路切替ブロック５５のピン５５ａを係合させるピン係合孔５４ａを開口している。
【００５９】
上述の流路切替ブロック５５は、図１３にも示すように、箱型状を有する一側面にピン５５ａを突設し、該ピン５５ａを右ケーシング３３の縦長貫通孔６０に内部から外部に向けて貫通させ、この外部へと貫通させたピン５５ａを前記手動操作レバー５４のピン係合孔５４ａに係合させている。
【００６０】
一方、該流路切替ブロック５５を摺動させる構造は、図１４及び図１５にも示すように、左ケーシング３２の内面に、前記流路切替ブロック５５を上下方向に摺動許容する縦長の摺動空間６１を有し、ここに流路切替ブロック５５を収納させて上下方向に一定のストロークで往復させる摺動支持構造を有している。
【００６１】
この場合、流路切替ブロック５５は、遊技台の盤面裏側から見て盤面に近い側(後面)と遠い(前面)側の各々に対向する外面を上下方向に摺動させる摺動ガイド面に設定し、前後の外面と対応する前記摺動空間６１の前後の内面を摺動ガイド部６２に設定して、該流路切替ブロック５５の上下方向の摺動を許容している。
【００６２】
さらに、流路切替ブロック５５と摺動ガイド部６２とが摺接する前面側にあっては、流路切替ブロック５５の前面に、前後方向に進退許容する凸状の弾性対応片６３を片持ち支持して設け、該弾性対応片６３と対応する前面側の摺動ガイド部６２の上下位置には、弾性対応片６３と凹部対応して位置決めする上位置決め凹部６４と、下位置決め凹部６５とを有している。
【００６３】
この場合、弾性対応片６３は先端を半円形に突出させ、この弾性対応片６３の半円形部と上下いずれかの位置決め凹部６４，６５とを凹凸対応させることにより、摺動過程で位置決めするものである。このため、流路切替ブロック５５は該流路切替ブロック５５の弾性対応片６３が上下何れかの位置決め凹部６４，６５のどちらか一方に対応して嵌合することになる。
【００６４】
前記流路切替レバー５６は、左右のケーシング３２，３３間に横架されたレバーシャフト５９によって回動自由に軸支され、このレバーシャフト５９に吊支された状態で、上方の待機通路３５ａ，３５ｂと下方の環状通路３６ａ，３６ｂとが上下に接続対応する環状連通口３６ｃの位置に介在させている。
【００６５】
前記上方の待機通路３５ａ，３５ｂと下方の環状通路３６ａ，３６ｂとの接続部分は、待機通路３５ａ，３５ｂの下流側が斜め下方に傾斜しているのに対し、環状通路３６ａ，３６ｂの球払出通路３６ｄはその真下に該球払出通路３６ｄの頂部が対応して接続される(図８参照)。従って、その上下の両通路を接続させるには方向変換が必要であり、その通路接続部分に方向変換用の流路切替レバー５６を配設している。この流路切替レバー５６により、球Ｐは該流路切替レバー５６によって斜め上方から真下向きに流下ガイドされて球払出通路３６ｄへと導かれる。
【００６６】
通常の球払出時（図１４及び図１５参照）では、流路切替ブロック５５を下動させた位置で流路切替ブロック５５の下端前面側の当接面５５ｂが流路切替レバー５６の中央部に当接して、該流路切替レバー５６の向きを球払出方向の向きにして回動を規制している。つまり、流路切替レバー５６は球Ｐを斜め上方から真下の球払出通路３６ｄにガイドするのに適した９０度下向きに方向変換させる位置に当接されている。又、該流路切替レバー５６の形状は球Ｐの流れを円滑にするのに適した円弧形のガイド面５６ａに湾曲形成している。
【００６７】
一方、上方の待機通路３５ａ，３５ｂと下方の球抜き通路３６ｅとの接続部分は、待機通路３５ａ，３５ｂの下流側が斜め下向きに傾斜する傾斜方向と同方向に球抜き通路３６ｅの頂部が対応して接続される。つまり、流路切替レバー５６が存在しなければ、前記待機通路３５ａ，３５ｂの下流側の斜め下向きの方向とほぼ同方向の球抜き通路３６ｅが直線的に接続対応して球抜きできることになる。従って、この接続部分に位置する流路切替レバー５６を球Ｐの流下圧によって退避可能な回動自由な状態に切り替えれば、流路切替レバー５６の位置規制作用が解除されることになり、上方の待機通路３５ａ，３５ｂから斜め下方に流下してきた球Ｐは、該球Ｐの自重により流路切替レバー５６を上方に押し退け(図１７参照)ながら斜め下方に流下して球抜き通路３６ｅへと導かれる。
【００６８】
それゆえ、球抜き時は、図１６及び図１７に示すように、流路切替ブロック５５を上動退避させるだけでよい。これにより、流路切替ブロック５５の下端背面側の当接面５５ａも上動退避して流路切替レバー５６は回動規制が解除されて自由状態になる。この結果、上方の待機通路３５ａ，３５ｂから供給された球Ｐは自重により、そのまま斜め下方に直進して球抜き通路３６ｅに至り、該球抜き通路３６ｅを流下して球抜きが開始される。図中、６６は中継基板、６７は補助カバーである。
【００６９】
このように構成された貯留タンク一体型球払出装置１２における球Ｐの払出処理動作を次に説明する。  
遊技台１１の盤面裏側の上部に設置された貯留タンク一体型球払出装置１２の貯留タンク１５には、多数個の球Ｐが払出待機された状態に貯留されている。この待機状態から、今、パチンコ遊技機の全体を制御する図示しないメイン制御部から球Ｐの払出信号が入力されて駆動モータＭ及び回転体３１が正転駆動（時計方向に回転）されると、この駆動に基づいて貯留タンク１５内の球Ｐは順に下方へと流下する。この流下過程で球Ｐは自重により転動して２列に整列されながら流下し、下流側の球払出装置１６へと導かれる。
【００７０】
この球払出装置１６では供給された球Ｐを回転体３１の正転送り動作により球払出通路３６ｄ側に導く。これにより、球Ｐは連続的に降下して定められた球数が払い出される。そして、払い出された球Ｐは遊技台前面側の上皿へと払い出される。
【００７１】
通常、この球払出時では、図１４及び図１５に示すように、係員が予め手動操作レバー５４を反時計方向に回動して、流路切替ブロック５５を下方へ移動させている。このとき、流路切替ブロック５５の位置決めは該流路切替ブロック５５の弾性対応片６３が左ケーシング３２の前面の下位置決め凹部６５に嵌合して位置決めされるものであり、球抜き通路３６ｅから球払出通路３６ｄに切り替えるときは、流路切替ブロック５５の弾性対応片６３が左ケーシング３２の前面の摺動ガイド部６２に摺接し、この摺接過程では弾性対応片６３は内側に弾性変位し、下位置決め凹部６５に対応したとき、外側に弾性復帰して嵌合して位置決め完了し、球払出通路３６ｄを確立した状態になる。又、流路切替ブロック５５が下方へ移動することによって、流路切替レバー５６は流路切替ブロック５５の当接面５５ｂに当接して下向きに流下ガイドする状態になり、球Ｐの通過経路が球払出通路３６ｄへと切り替わることになる。これにより、上流の待機通路３５ａ，３５ｂから流下してきた球Ｐを球払出通路３６ｄへと誘導して回転体３１により回転送りさせる。
【００７２】
次に、貯留タンク一体型球払出装置１２内に保有されている多数個の球Ｐを球抜きする場合は、図１６及び図１７に示すように、逆に係員が手動操作レバー５４を時計方向に回動することで、流路切替ブロック５５の弾性対応片６３が下位置決め凹部６５と外れて、該流路切替ブロック５５が上方へ移動する。
【００７３】
このとき、流路切替ブロック５５の位置決めは該流路切替ブロック５５の弾性対応片６３が左ケーシング３２の前面の摺動ガイド部６２に摺接することによって内側に弾性変位し、左ケーシング３２に有する上側の上位置決め凹部６４に対応したとき、弾性対応片６３は外側に弾性復帰して嵌合する。これにより、位置決めは完了し、球抜き通路３６ｅを確立した状態になる。
【００７４】
このように、流路切替ブロック５５を上方へスライド移動させることによって、流路切替レバー５６は流路切替ブロックの当接面５５ｂとの当接が外れて、流路切替レバー５６を回動自由にさせる。この結果、上方の待機通路３５ａ，３５ｂから斜め下向きに流下してきた球Ｐは、その自重によって流路切替レバー５６を押し退けながら同斜め下向きの方向に直進して通過するので球Ｐの流下方向が球抜き通路３６ｅへと切り替わり、待機通路３５ａ，３５ｂから流下してきた球Ｐを球抜き通路３６ｅへと誘導する。
【００７５】
この場合、球抜き通路３６ｅに導かれた球Ｐは、送り爪３９による駆動力は受けず、筒状の通路内を降下し、自重によって球抜き通路３６ｅを降下して球抜きされる。このため、停電等による電気的な影響を受けず、安定して球抜きされる。そして、この球抜き通路３６ｅから降下した球は、下方に接続されている図示しない球抜き用の回収通路から遊技台１１の盤面裏側に接続されている図示しない球回収通路へと導かれる。
【００７６】
この発明の構成と、上述の一実施例の構成との対応において、
この発明の移動部材は、実施例の流路切替ブロック５５に対応するも、この発明は請求項に記載される技術思想に基づいて応用することができ、上述の一実施例の構成のみに限定されるものではない。
【００７７】
例えば、流路切替レバー５６にマイクロスイッチなどを設け、流路切替レバー５６による球通路切替状態を確認することによって、球払出時に、誤って球抜き通路３６ｅに切り替えられて球抜きされないように監視させるようにして構成してもよい。
【図面の簡単な説明】
【００７８】
【図１】貯留タンク一体型球払出装置を備えた遊技台の盤面裏側を示す要部背面図。
【図２】貯留タンク一体型球払出装置を示す外観斜視図。
【図３】球払出装置を示す外観斜視図。
【図４】球払出装置を示す正面図。
【図５】球払出装置の正面側から見た分解斜視図。
【図６】球払出装置の背面側から見た分解斜視図。
【図７】回転体の動力伝達状態を示す外観斜視図。
【図８】球払出装置の通路構造を示す縦断側面図。
【図９】球払出装置の側面図。
【図１０】図９のＡ−Ａ線矢視断面図。
【図１１】球払出装置の要部拡大縦断正面図。
【図１２】手動操作レバーを一方と他方に回動操作した状態を示す斜視図。
【図１３】流路切替ブロックの外観斜視図。
【図１４】球払出装置の球払出状態を示す縦断側面図。
【図１５】球払出時の流路切替レバーの動作状態を示す要部拡大縦断側面図。
【図１６】球払出装置の球抜き状態を示す縦断側面図。
【図１７】球抜き時の流路切替レバーの動作状態を示す要部拡大縦断側面図。
【符号の説明】
【００７９】
１１…遊技台
１６…球払出装置
３６ｄ…球払出通路
３６ｅ…球抜き通路
５３…流路切替機構
５４…手動操作レバー
５５…流路切替ブロック
５６…流路切替レバー
６２…摺動ガイド部
６３…弾性対応片
６４…上位置決め凹部
６５…下位置決め凹部
【図１】
2006262970.tif 000003
【図２】
2006262970.tif 000004
【図３】
2006262970.tif 000005
【図４】
2006262970.tif 000006
【図５】
2006262970.tif 000007
【図６】
2006262970.tif 000008
【図７】
2006262970.tif 000009
【図８】
2006262970.tif 000010
【図９】
2006262970.tif 000011
【図１０】
2006262970.tif 000012
【図１１】
2006262970.tif 000013
【図１２】
2006262970.tif 000014
【図１３】
2006262970.tif 000015
【図１４】
2006262970.tif 000016
【図１５】
2006262970.tif 000017
【図１６】
2006262970.tif 000018
【図１７】
2006262970.tif 000019